(57)【要約】【課題】漏れない男性用吸収パッドを提供する。【解決手段】液透過性のトップシート１１と、バックシート１２と、これら両シート間に配置された吸収体１３と、トップシート１１上で相対向する一対の液不透過性のギャザーシート１４Ａ，１４Ｂとを備え、トップシート１１とギャザーシート１２との間で一方のギャザーシート１４Ｂ側から他方のギャザーシート１４Ａ側に向けて液透過性の補助シート１７が延設され、補助シート１７と他方のギャザーシート１４Ａとで男性性器を挿入するための開口１５を形成する。【選択図】      図２
2004298457.tif 000002
【特許請求の範囲】
【請求項１】
液透過性のトップシートと、バックシートと、これら両シート間に配置された吸収体と、前記トップシート上で相対向する一対の液不透過性のギャザーシートとを備えた男性用吸収パッドにおいて、
前記トップシートと前記ギャザーシートとの間で一方の前記ギャザーシート側から他方の前記ギャザーシート側に向けて液透過性の補助シートが延設され、該補助シートと前記他方のギャザーシートとで男性性器を挿入するための開口を形成することを特徴とする、男性用吸収パッド。
【請求項２】
前記補助シートが前記トップシートと一体に設けられることを特徴とする、請求項１に記載の男性用吸収パッド。
【請求項３】
前記補助シートが前記トップシートと別体に設けられることを特徴とする、請求項１に記載の男性用吸収パッド。
【請求項４】
前記バックシートが液不透過性であることを特徴とする、請求項１ないし３のいずれかに記載の男性用吸収パッド。
【請求項５】
前記バックシートが液透過性であることを特徴とする、請求項１ないし３のいずれかに記載の男性用吸収パッド。
【請求項６】
吸収体角部を切り欠いた矩形であることを特徴とする、請求項１ないし５のいずれかに記載の男性用吸収パッド。
【請求項７】
前記補助シートの先端に弾性部材が備えられていることを特徴とする、請求項１ないし６のいずれかに記載の男性用吸収パッド。
【請求項８】
前記補助シートの先端と前記他方のギャザーシートの先端によって形成される開口が、前記ギャザーシートの一方に偏在していることを特徴とする、請求項１ないし７のいずれかに記載の男性用吸収パッド。
【請求項９】
前記他方のギャザーシートの先端と前記補助シートの先端とが略同じ位置にあることを特徴とする、請求項１ないし８のいずれかに記載の男性用吸収パッド。
【請求項１０】
前記一方のギャザーシートの先端と前記補助シートの先端とが略同じ位置にあることを特徴とする、請求項１ないし９のいずれかに記載の男性用吸収パッド。
【発明の詳細な説明】
【０００１】
【発明の属する技術分野】
本発明は、寝たきり男性、失禁者等が、使いすて紙おむつと併用または下着を介して着用される男性用吸収パッドに関する。さらに詳しくは、本発明は、漏れ防止効果が高く、着用が簡単な男性用吸収パッドに関する。
【０００２】
【従来の技術】
従来の男性用吸収パッドは、液透過性のトップシートと、そのトップシートと同一形状の液不透過性のバックシートと、これら両シート間に配置された吸収体とを備えてなる矩形のものである。そして、男性用吸収パッドを使用するときは、矩形の男性用吸収パッドの一隅を中心として略円錐形に丸めながら、陰茎にその男性用吸収パッドを巻き付けるようにして装着した後、男性用吸収パッドの外周をテープなどで固定して使用していた。
【０００３】
しかし、この種の男性用吸収パッドは、男性用吸収パッドを陰茎に巻き付けるように直接装着して使用するため、着用者が違和感や締めつけ感を生じ、使用しにくいという問題があった。一方、着用者が違和感や締めつけ感を生じないように弱く巻きつけると、男性用吸収パッドが陰茎から外れやすくなり、尿漏れが生じるという問題があった。
【０００４】
そこで、図７（Ａ），（Ｂ）に示すような男性用吸収パッドが開示されている（例えば、特許文献１）。すなわち、液透過性のトップシート１と、液不透過性のバックシート２と、これら両シート間に配置された吸収体３と、前記トップシート１の上方に液不透過性のギャザーシート７とを備え、トップシート１とギャザーシート７との間に性器保持空間４が形成される。ギャザーシート７は開口５を有し、その開口５の周囲に弾性部材６を配置してなる。
【０００５】
そして男性用吸収パッドの開口５より男性性器を挿入して性器保持空間４に保持し、排泄物をトップシート１を通して吸収体３で吸収する。これによって、男性用吸収パッドを陰茎に直接巻き付けて装着することがなくなり、着用者に違和感が生じることが軽減される。
【０００６】
【特許文献１】
特表２００２−５０９４６２号公報
【０００７】
【発明が解決しようとする課題】
しかし、このような男性用吸収パッドでは、着用者が仰向けになって寝たとき、尿が吸収体３に完全に吸収されずに着用者の腹側にあるギャザーシート７に達する。しかし、ギャザーシート７は液不透過性であるため、尿は吸収されずにギャザーシート７の表面を流れて開口５に達し、そこから外部へ漏れ出して着用者の着衣、またはこの男性用吸収パッドと併用して用いる紙おむつを汚してしまうという問題があった。
そこで、この発明の目的は、漏れない男性用吸収パッドを提供することにある。
【０００８】
【課題を解決するための手段】
このため、請求項１に記載の発明は、液透過性のトップシートと、バックシートと、これら両シート間に配置された吸収体と、前記トップシート上で相対向する一対の液不透過性のギャザーシートとを備えた男性用吸収パッドにおいて、
前記トップシートと前記ギャザーシートとの間で一方の前記ギャザーシート側から他方の前記ギャザーシート側に向けて液透過性の補助シートが延設され、該補助シートと前記他方のギャザーシートとで男性性器を挿入するための開口を形成することを特徴とする。
【０００９】
したがって、補助シートとトップシートとの間に男性性器を保持するので、着用者が仰向けの状態で排泄し、液状の排泄物が吸収体に完全に吸収されなかったときにも、補助シートがその液状の排泄物の流れの勢いを弱めるとともに拡散させるので、吸収体に吸収されずに流れた液状の排泄物がギャザーシートを伝って開口に達して外部に漏れ出すことがない。よって、漏れない男性用吸収パッドを提供することができる。加えて、陰茎に巻きつけて使用する従来の男性用吸収パッドに比べて装着したときの違和感がなく、男性用吸収パッドを快適に装着することができる。
【００１０】
請求項２に記載の発明は、請求項１に記載の男性用吸収パッドにおいて、前記補助シートが前記トップシートと一体に設けられることを特徴とする。
【００１１】
したがって、トップシートを設ける工程において補助シートも同時に設けることができるので、工程を簡略化して、効率よく男性用吸収パッドを製造することができる。
【００１２】
請求項３に記載の発明は、請求項１に記載の男性用吸収パッドにおいて、前記補助シートが前記トップシートと別体に設けられることを特徴とする。
【００１３】
したがって、補助シートをトップシートに比べて、より拡散性の大きな素材で構成することができ、着用者が仰向けの状態で排泄したとき、一層、漏れない男性用吸収パッドを提供することができる。
【００１４】
請求項４に記載の発明は、請求項１ないし３のいずれかに記載の男性用吸収パッドにおいて、前記バックシートが液不透過性であることを特徴とする。
【００１５】
したがって、バックシートから液状の排泄物が漏れ出すことがなく、漏れない男性用吸収パッドを提供することができる。
【００１６】
請求項５に記載の発明は、請求項１ないし３のいずれかに記載の男性用吸収パッドにおいて、前記バックシートが液透過性であることを特徴とする。
【００１７】
したがって、男性用吸収パッドを紙おむつの使用面側に重ねて使用する場合、男性用吸収パッドで吸収しきれなかった液状の排泄物を紙おむつが備える吸収体に透過して吸収することができるので、排泄物量が多い場合でも紙おむつから漏れない男性用吸収パッドを提供することができる。
【００１８】
請求項６に記載の発明は、請求項１ないし５のいずれかに記載の男性用吸収パッドにおいて、吸収体角部を切り欠いた矩形であることを特徴とする。
【００１９】
したがって、着用者の股部にフィットさせることができ、着用者の動きを容易にする男性用吸収パッドを提供することができる。
【００２０】
請求項７に記載の発明は、請求項１ないし６のいずれかに記載の男性用吸収パッドにおいて、前記補助シートの先端に弾性部材が備えられていることを特徴とする。
【００２１】
したがって、補助シートが男性性器に確実にフィットし、より一層漏れない男性用吸収パッドを提供することができる。
【００２２】
請求項８に記載の発明は、請求項１ないし７のいずれかに記載の男性用吸収パッドにおいて、前記補助シートの先端と前記他方のギャザーシートの先端によって形成される開口が、前記ギャザーシートの一方に偏在していることを特徴とする。
【００２３】
したがって、男性用吸収パッド内に男性性器を挿入したとき、陰茎の先端を吸収体の中央寄りに保持することができ、液状の排泄物を吸収体に有効に吸収させることができる。
【００２４】
請求項９に記載の発明は、請求項１ないし８のいずれかに記載の男性用吸収パッドにおいて、前記他方のギャザーシートの先端と前記補助シートの先端とが略同じ位置にあることを特徴とする。
【００２５】
したがって、補助シートが有効に開口を塞ぎ、男性用吸収パッド内から外部に向かって液状の排泄物が漏れ出すことを一層防止することができる。
【００２６】
請求項１０に記載の発明は、請求項１ないし９のいずれかに記載の男性用吸収パッド、前記一方のギャザーシートの先端と前記補助シートの先端とが略同じ位置にあることを特徴とする。
【００２７】
したがって、補助シート内に挿入保持した男性性器は、撥水性の一方のギャザーシート内にも保持されるため、一層漏れない男性用吸収パッドを提供することができる。
【００２８】
【発明の実施の形態】
以下、図面を参照しつつ、この発明の実施の形態につき説明する。
図１は、この発明の一例としての男性用吸収パッドの平面図、図２は、そのＸ−Ｘ′線断面図である。男性用吸収パッドＰは、矩形の液透過性のトップシート１１と、液不透過性のバックシート１２と、トップシート１１とバックシート１２との間に配置された吸収体１３と、トップシート１１上で相対向する一対の液不透過性のギャザーシート１４Ａ，１４Ｂとを備え、該ギャザーシート１４Ａ，１４Ｂのそれぞれの先端ＴＡ，ＴＢは、対向しながら男性用吸収パッドの長手方向Ｌに沿って形成されている。
【００２９】
このギャザーシート１４Ａの先端ＴＡには、糸ゴムの弾性部材１６が１本、長手方向Ｌに沿って伸張状態で接合されている。また、ギャザーシート１４Ｂの先端ＴＢには、糸ゴムの弾性部材１６が２本、長手方向Ｌに沿って伸張状態で接合されている。
【００３０】
ところで、この例ではトップシート１１とギャザーシート１４Ｂとの間に、液状の排泄物を拡散させるための補助シート１７がトップシート１１と一体に設けられている。詳しくは、トップシート１１とギャザーシート１４Ａ，１４Ｂとの間で一方のギャザーシート１４Ｂ側から他方のギャザーシート１４Ａ側に向けて液透過性の補助シート１７が延設されている。そして、ギャザーシート１４Ａと補助シート１７およびトップシート１１で囲まれた空間に性器保持空間１８が形成されており、ギャザーシート１４Ａの先端ＴＡと補助シート１７の先端１７Ｔとによって性器保持空間１８内に男性性器を挿入するための開口１５が形成されている。この開口１５は、ギャザーシート１４Ａ側に偏在して形成されている。
【００３１】
ここで、補助シート１７の先端１７Ｔは、ギャザーシート１４Ａの下に入り込むように設ける。この補助シート１７は、トップシート１１を山折りにして形成している。すなわちトップシート１１と補助シート１７とは、同一素材からなる。この補助シート１７の先端１７Ｔには、山折りの稜線に沿って弾性部材１６を伸張状態で固定して備える。
なお、ギャザーシート１４Ｂの先端ＴＢと補助シート１７の先端１７Ｔとが略同じ位置にあってもよいし、ギャザーシート１４Ａの先端ＴＡと補助シート１７の先端１７Ｔとが略同じ位置にあってもよい。
【００３２】
ところで、補助シート１７の先端１７Ｔに備える弾性部材１６は、１本でも複数本でもよいが、複数本備えると、より一層、男性性器と男性用吸収パッドＰとの隙間をなくすことができ、より一層漏れない男性用吸収パッドを提供することができる。
【００３３】
本発明において使用されるトップシート１１は、液透過性の不織布、織布、多孔性プラスチックフィルム等であり、その構成繊維は、ポリプロピレン、ポリエチレン、ポリエステル、ナイロン等の単繊維、またはポリエステル、ポリプロピレン、ポリエチレン、ナイロン等の２成分以上からなる複合繊維等であり、特には、ポリエステル／ポリエステル、ポリエステル／ポリエチレン、ポリプロピレン／ポリエチレンの複合繊維が強度の面から好ましいが、特に制限をうけるものではない。
【００３４】
本発明において使用されるバックシート１２は、ポリエチレン等の液不透過性フィルム、液体不透過性フィルムと不織布あるいは織布を貼り合わせた素材等である。より好ましくは、ムレを防止するために、液体を透過させない程度の多数の微孔を設けたポリエチレン製フィルムや、熱可塑性樹脂にフィラーを加えて延伸した透湿性のあるフィルム、あるいはこれらのフィルムの外側に不織布、織布を貼り合わせた複合シートを用いると、吸収パッド内の余分な水分が気体の状態で吸収パッド外に放出されるため、ムレやカブレが起こりにくくなり、透湿性や肌触り等を快適なものとすることができる。
【００３５】
本発明において使用される吸収体１３は、綿状パルプ、高吸収性ポリマー（以後省略してＳＡＰという）、親水性シート等からなり、特に制限を受けるものではない。また、本発明において使用される吸収体は、従来の男性用吸収パッドその他の吸収性物品において通常使用される公知の吸収性材料から作られている。
【００３６】
すなわち、綿状パルプ、レーヨン等の吸収性繊維とＳＡＰを混合した単層もしくは多層のマット、あるいは、吸収性繊維からなるマットの層間にＳＡＰを均一に配置したもの等を親水性シートでくるんで形成したものを使用することができる。
【００３７】
綿状パルプとしては、化学パルプシートもしくは、機械パルプシートを粉砕機で解繊することにより得られるものが用いられる。パルプ原料としては、針葉樹に限らず、広葉樹、わら、竹およびケナフも適用される。また、古紙パルプを使用しても良い。この綿状パルプの使用量は、目的とする吸収体により、例えば、単独で用いるか、複数積層して用いるか、他の吸収材を併用するかなどにより異なるが、一般的には、５０〜４００ｇ／ｍ２にされる。
【００３８】
ＳＡＰとしては、デンプン系、セルロース系、合成ポリマー系が挙げられる。すなわち、デンプン−アクリル酸（塩）グラフト共重合体、デンプン−アクリル酸エチルグラフト共重合体のケン化物、デンプン−メタクル酸メチルグラフト共重合体のケン化物、デンプン−アクリロニトリルグラフト共重合体のケン化物、デンプン−アクリルアミドグラフト共重合体のケン化物、アクリル酸（塩）重合体、アクリル酸で架橋されたポリエチレンオキシド、ナトリウムカルボキシメチルセルローズの架橋物、ポリビニールアルコール−無水マレイン酸反応物の架橋物などが使用可能である。
【００３９】
吸収体１３の圧縮方法としては、周面が平滑なロールなどにより、吸収体の密度がその全体にわたり実質的に均等になるように連続する面状に圧縮してもよいし、周面が凹凸状であるロールなどにより、吸収体の密度が部分的に異なり、尿や体液を縦方向及び斜め方向に導く模様配列のエンボスとなるように圧縮してもよい。エンボスの場合、圧縮部、非圧縮部は、連続、非連続のいずれであってもよい。
【００４０】
本発明で使用されるギャザーシート１４Ａ，１４Ｂは、撥水加工した不織布または織布、ポリエチレン等の液体不透過性フィルム、ならびにその液体不透過性フィルムと不織布または織布を貼り合わせた素材等が使用できる。液体不透過性のフィルムを使用する場合、ムレを防止するために液体分子を透過させない程度の多数の微孔を設けたポリエチレン製フィルムや、熱可塑性樹脂にフィラーを加えて延伸した透湿性のあるフィルムが好ましい。
【００４１】
不織布、織布を使用する場合、その構成繊維は、ポリプロピレン、ポリエチレン、ポリエステル、ナイロン等の単繊維、または、ポリエステル、ポリプロピレン、ポリエチレン、ナイロン等の２成分以上からなる複合繊維等であり、特には、ポリエステル／ポリエステル、ポリエステル／ポリエチレン、ポリプロピレン／ポリエチレンの複合繊維が強度の面から好ましいが、特に制限をうけるものではない。
【００４２】
弾性部材１６は、天然、合成ゴム、ウレタンなどの糸状、ひも状、ネット状、平型形状の通常の男性用吸収パッド、通常の吸収性物品に使用されている伸縮弾性体を使用することができる。使用される弾性部材の本数は１本あるいは複数であっても構わない。伸縮弾性体は伸長状態で配置され、ホットメルト、澱粉系またはＣＭＣ（カルボキシメチルセルロース）などの水溶性の糊又は、流動性の高い接着剤、あるいは熱や超音波等による溶着により、撥水性素材に接着固定される。
【００４３】
トップシート１１とギャザーシート１４Ａ，１４Ｂは、その外周の周縁部において、ホットメルト、澱粉系またはＣＭＣ（カルボキシメチルセルロース）などの水溶性の糊又は、流動性の高い接着剤、あるいは熱や超音波等による溶着により、接合される。
【００４４】
このように構成された男性用吸収パッドＰを使用するときは、例えば、図３（Ａ）に示すように、着用者が仰向けの状態で男性性器Ｂを下向きにして男性用吸収パッドＰの開口１５より挿入して男性性器Ｂを補助シート１７の上側に載せ、性器保持空間１８に保持する。
【００４５】
すると、弾性部材１６を備える補助シート１７と弾性部材１６を備えるギャザーシート１４Ａとによって、男性性器Ｂが男性用吸収パッドＰにしっかりと保持される。
【００４６】
このとき、男性性器Ｂを補助シート１７の上側に載せているので、着用者が仰向けの状態で尿を排泄したときにも、液透過性の補助シート１７が尿を浸透させながら勢いを弱めて補助シート１７全体に拡散させるとともに、補助シート１７の外側で２本の弾性部材１６を備えるギャザーシート１４Ｂによって尿をしっかりと受け止めるので、開口１５から尿が漏れ出すことがない。
【００４７】
ところで、男性性器Ｂを上向きにして男性用吸収パッドＰの開口１５から挿入して補助シート１７の上側に陰茎が載るようにして性器保持空間１８に保持してもよい。この場合には、図３（Ｂ）に示すように、男性用吸収パッドＰを図３（Ａ）とは、１８０°向きを変えて使用する。すなわち、着用者が仰向けの状態で男性性器Ｂを上向きにして男性用吸収パッドＰの開口１５より挿入して男性性器Ｂを補助シート１７の上側に載せ、性器保持空間１８に保持する。すると、図３（Ａ）と同様にして、弾性部材１６を備えた補助シート１７、ギャザーシート１４Ａ，１４Ｂが男性性器Ｂをしっかりと包み込む。
【００４８】
この場合、男性性器Ｂを補助シート１７の上側に載せているので、着用者が仰向けの状態で尿を排泄しても、液透過性の補助シート１７が尿を浸透させながら勢いを弱めて補助シート１７全体に拡散させるので、開口１５から尿が漏れ出すことがない。
【００４９】
その後、必要に応じて、図４に示すように、展開型紙おむつ２１の後身頃２４のトップシート２２上に着用者の臀部を載せた後、前身頃２３を折り畳んで、男性用吸収パッドＰを装着した着用者の腹部に当て、両面テープ、メカニカルファスナーなどの止着部材２５を展開型紙おむつ２１の前身頃２３のバックシート上に固定して展開型紙おむつ２１を装着する。
【００５０】
この例の男性用吸収パッドＰは、上述のように構成されているので、着用者が仰向けになって尿を排泄したときにも、補助シート１７が尿の勢いを弱め、尿をすばやく拡散させるので、開口１５から尿が漏れ出すことがない。したがって、この例の男性用吸収パッドＰによれば、男性性器Ｂの向きによらず尿などの液状の排泄物を開口１５から外部に漏れ出さないようにすることができる。
【００５１】
また、男性性器Ｂをフリーな状態にしたまま保持することができるので、着用者に与える違和感を軽減することができる。加えて、この発明の男性用吸収パッドＰは、男性性器Ｂを性器保持空間１８に保持するので、着用者の動きに追随することができる。
【００５２】
さらに、上述の例において好適には、長さＬ方向中央で２つ折りにして包装すると、開封して展開型紙おむつなどに取り付ける際に、中心を決定しやすいという利点があるとともに、吸収パッドの中央を男性性器Ｂに当てやすい。加えて、２つ折りにした吸収パッドの折跡による谷間を伝って液状の排泄物を吸収体の中心に向かって誘導しやすくなる。
【００５３】
なお、上述の例では、補助シート１７がトップシート１１と一体に設けられていたが、この発明はこれに限定されるものではなく、図５に示すように、補助シート１７がトップシート１１と別体に設けられてもよい。
【００５４】
また、上述の例では、男性用吸収パッドＰを装着した着用者に展開型紙おむつを装着した例を説明したが、この発明はこれに限定されるものではなく、男性用吸収パッドＰをパンツ型紙おむつやパンツ型の下着などとともに使用してもよい。したがって、男性用吸収パッドＰのバックシート１２には、粘着性の両面テープや、メカニカルファスナーのオス材が備えられていると着用者の動きによる男性用吸収パッドＰのズレを防止することができ好適である。
【００５５】
さらに、上述の例では、バックシート１２が液不透過性であったが、この発明はこれに限定されるものではなく、バックシート１２が液透過性であってもよい。
【００５６】
また、上述の例では、男性用吸収パッドＰを矩形に形成したが、この発明はこれに限定されるものではなく、図６（Ａ）に示すように、角部Ｃ１〜Ｃ４を均等に切り欠いた矩形としてもよいし、図６（Ｂ）に示すように、一方の長辺の両端にある２つの角部Ｃ３，Ｃ４を、他方の長辺の両端にある２つの角部Ｃ１，Ｃ２に比べて、大きく切り欠いてもよいし、角部Ｃ３，Ｃ４のみ切り欠いてもよい。これらのようにすると、男性用吸収パッドＰを装着したときに、切り欠いた部分が股部のフィット感を向上させることができる。もちろん、トップシート１１、バックシート１２の角部は切り欠かず、矩形の吸収体１３の角部のみを切り欠いても同様の効果が得られる。
【００５７】
【発明の効果】
以上、詳述したように、この発明によれば、漏れない男性用吸収パッドを提供することができる。
【図面の簡単な説明】
【図１】この発明の男性用吸収パッドの平面図である。
【図２】図１の男性用吸収パッドのＸ−Ｘ′線断面図である。
【図３】図１の男性用吸収パッドに男性性器を挿入した様子を説明するための図であり、（Ａ）は、着用者が仰向けの状態で男性性器を下向きに挿入した状況を説明するための概略断面図であり、（Ｂ）は、着用者が仰向けの状態で男性性器を上向きに挿入した状況を説明するための概略断面図である。
【図４】展開型紙おむつの平面図である。
【図５】この発明の別の例としての男性用吸収パッドの断面図である。
【図６】（Ａ）および（Ｂ）は、この発明のさらに別の例としての男性用吸収パッドの平面図である。
【図７】従来の男性用吸収パッドの（Ａ）は斜視図、（Ｂ）は断面図である。
【符号の説明】
１１    トップシート
１２    バックシート
１３    吸収体
１４Ａ    ギャザーシート（他方のギャザーシート）
１４Ｂ    ギャザーシート（一方のギャザーシート）
１５    開口
１６    弾性部材
１７    補助シート
１８    性器保持空間
２１    展開型紙おむつ
２２    トップシート
２３    前身頃
２４    後身頃
２５    止着部材
Ｃ１，Ｃ２，Ｃ３，Ｃ４    角部
Ｐ    男性用吸収パッド
【図１】
2004298457.tif 000003
【図２】
2004298457.tif 000004
【図３】
2004298457.tif 000005
【図４】
2004298457.tif 000006
【図５】
2004298457.tif 000007
【図６】
2004298457.tif 000008
【図７】
2004298457.tif 000009